(57)【要約】      （修正有）【課題】電子暗証番号ロック式のファスナー付きのセキュリティを確保できるカードケースを提供する。【解決手段】カードケース３にソーラー電池パネル５を搭載することで電子制御を可能にし、暗証番号入力用電子パネル４、あるいは、スマートフォン等の電波式外部入力装置を用い、電動モーター式施錠装置２を制御することでファスナー式カードケースのファスナー１の取っ手を掛け金で固定することによって施錠開錠を可能にする。【選択図】図１
0003219654.tif 000002
【実用新案登録請求の範囲】
【請求項１】
カードケースにソーラー電池パネルを搭載することで電子制御を可能にし、暗証番号入力用電子パネルを用い、電動モーター式施錠装置を制御することでファスナー式カードケースのファスナー取っ手を掛け金で固定することによって施錠開錠を可能にする仕組みを持つカードケース。
【請求項２】
カードケースにソーラー電池パネルを搭載することで電子制御を可能にし、スマートフォン等電波式外部入力装置と電波受信機を用い電動モーター式施錠装置を制御することでファスナー式カードケースのファスナー取っ手を掛け金で固定することによって施錠開錠を可能にする仕組みを持つカードケース。
【請求項３】
電動モーターの先端に欠損した回転盤を装着することで、回転盤の回転角を制御することで、施錠用引っ掛を回転盤欠損部に通過させ掛け金にて施錠開錠を可能にする施錠システム。
【考案の詳細な説明】
【技術分野】
【０００１】本考案は、電子暗証番号ロック式のファスナー付きカードケースに関するものである。
【背景技術】
【０００２】マイナンバーカード等の高度にセキュリティを要求するカードが社会に登場し、市民生活の中で安全に運用される必要が生じている。【０００３】しかしながら、従来のカードケースでは文字を見えないように目隠しする程度で、容易にカードを取り出せるため、ほとんどセキュリティを確保できていないのが現状である。【０００４】この改善策として、ソーラー電池パネルを電源にすることで電子制御を可能にし、ファスナー付きのカードケースに電子ロック機構を付加することを考案する。
【先行技術文献】
【特許文献】
【０００５】
【非特許文献】
【０００６】
【考案の概要】
【考案が解決しようとする課題】
【０００７】本考案は、従来のカードケースに施錠機能が無いことで、店舗での身分証のコピー等市民生活において、容易にカード取り出しが可能なことで起こりえるトラブルを未然に防ぐことを目的とする。
【課題を解決するための手段】
【０００８】本考案は、カードケースに施業機能を付加するため、ソーラー電池パネルによる電源、電子暗証番号制御によるファスナーの電子ロック機能で構成している。
【考案の効果】
【０００９】本考案によって、店舗等でマイナンバーカード等をコピーするため、一旦店員等に預ける場合において、カードケースが施錠されていることで、不正なコピーを防止することができる。【００１０】また、ソーラー電池パネル電源と電子制御ロックにすることでカードケース用の薄型を維持しつつ、任意の暗証番号の設定等も可能になり利便性も確保される。
【図面の簡単な説明】
【００１１】
【図１】図１は電子暗証番号ロック式のファスナー付きカードケースの全景である。（実施例１）
【図２】図２はスマートフォンを利用した電波受信型電子ロック式のファスナー付きカードケースの全景である。（実施例２）
【図３】図３はファスナーの施錠部の拡大図である。
【図４】図４は施錠部の内部構造図である。
【図５】図５はファスナーロック開錠時の実施方法を記した説明図である。
【図６】図６はファスナーロック施錠時の実施方法を記した説明図である。
【図７】図７は電子制御部の機能説明図である。
【考案を実施するための形態】
【００１２】以下、本考案の実施の形態を図に基づいて説明する。
【実施例１】
【００１３】図１は、本考案装置の暗証番号入力用電子パネル４を用いた実施例の全景であり、１、２、３、５は、図２と同様である。
実施例１は施錠状態から開錠状態への説明とするため、施錠状態の図６である状態から説明するものとする。【００１４】ソーラー電池パネル５から電力を供給し、暗証番号入力用電子パネル４を起動する。
暗証番号入力用電子パネル４から暗証番号を入力すると、制御ＩＣチップ機能１７の暗証番号保持値と照合し認証を行う。【００１５】認証が成功した場合、電動モーター１１か施錠状態の施錠用円盤１６を回転させ、開錠状態の施錠用円盤１５の状態にすることで施錠用引っ掛１４を動かせるようにし、掛け金９を持ち上げ、ファスナー取っ手８のロック状態を解除する。【００１６】その結果、開錠状態の図５となり、ファスナー１を開くことができ、カードケース３からカードをを取り出すことが出来る。【００１７】開錠状態の図５から施錠状態の図６にするに場合、カードをカードケース３に収納した後、ファスナー１を閉め、掛け金９を下げ、ファスナー取っ手８をロック状態にする（図４）。【００１８】この状態で、自動で施錠用円盤１０を回転させ施錠することもできるし、暗証番号入力用電子パネル４で新たに暗証番号を入力して施錠することも可能なものとする。
以上により、施錠状態の図６となり、カードケース３は施錠される。
【実施例２】
【００１９】図２は、本考案装置の電波式外部入力装置（スマートフォン）６を用いた実施例の全景であり、１、２、３、５は、図１と同様である。
実施例２は施錠状態から開錠状態への説明とするため、施錠状態の図６である状態から説明するものとする。【００２０】ソーラー電池パネル５から電力を供給し、電波受信機７を起動する。
電波式外部入力装置（スマートフォン）６から暗証番号を入力すると、電波受信機７が信号を受信し、制御ＩＣチップ機能１７の暗証番号保持値と照合し認証を行う。【００２１】認証が成功した場合、電動モーター１１か施錠状態の施錠用円盤１６を回転させ、開錠状態の施錠用円盤１５の状態にすることで施錠用引っ掛１４を動かせるようにし、掛け金９を持ち上げ、ファスナー取っ手８のロック状態を解除する。【００２２】その結果、開錠状態の図５となり、ファスナー１を開くことができ、カードケース３からカードをを取り出すことが出来る。【００２３】開錠状態の図５から施錠状態の図６にするに場合、カードをカードケース３に収納した後、ファスナー１を閉め、掛け金９を下げ、ファスナー取っ手８をロック状態にする（図４）。【００２４】この状態で、自動で施錠用円盤１０を回転させ施錠することもできるし、電波式外部入力装置（スマートフォン）６で新たに暗証番号を入力して施錠することも可能なものとする。
以上により、施錠状態の図６となり、カードケース３は施錠される。
【産業上の利用可能性】
【００２５】本考案は、電子暗証番号ロック式のカードケースを製造する産業で利用される。
【符号の説明】
【００２６】１  ファスナー
２  施錠部
３  カードケース
４  暗証番号入力用電子パネル
５  ソーラー電池パネル
６  電波送信外部入力装置（スマートフォン）
７  電波受信機
８  ファスナー取っ手
９  掛け金
１０  施錠用円盤
１１  電動モーター
１２  電線
１３  制御ＩＣチップ
１４  施錠用引っ掛
１５  開錠状態の施錠用円盤
１６  施錠状態の施錠用円盤
１７  制御ＩＣチップ機能
【図１】
0003219654.tif 000003
【図２】
0003219654.tif 000004
【図３】
0003219654.tif 000005
【図４】
0003219654.tif 000006
【図５】
0003219654.tif 000007
【図６】
0003219654.tif 000008
【図７】
0003219654.tif 000009
【手続補正書】
【提出日】平成30年10月23日(2018.10.23)
【手続補正１】
【補正対象書類名】実用新案登録請求の範囲
【補正対象項目名】全文
【補正方法】変更
【補正の内容】
【実用新案登録請求の範囲】
【請求項１】
掛け金を有する施錠部を側面に備え、ソーラー電池パネルを搭載することで電子制御を可能にしたカードケースであって、前記ソーラー電池パネル上の暗証番号入力用電子パネルを用いて前記施錠部を制御することで、前記掛け金を持ち上げてカードケースのファスナー取っ手のロック状態を解除できる状態にするとともに、前期掛け金を下げて、前記ファスナー取っ手をロック状態としてから、前記施錠部で施錠できるようにしたことを特徴とするカードケース。
【請求項２】
掛け金を有する施錠部を側面に備え、ソーラー電池パネルを搭載することで電子制御を可能にしたカードケースであって、電波式外部入力装置と前記施錠部に設けた電波受信機を用いて前記施錠部を制御することで、前記掛け金を持ち上げてカードケースのファスナー取っ手のロック状態を解除できる状態にするとともに、前期掛け金を下げて、前記ファスナー取っ手をロック状態としてから前記施錠部で施錠できるようにしたことを特徴とするカードケース。
【請求項３】
前記施錠部は、電動モーターと、前記電動モーターの先端に装着された欠損した施錠用円盤と、前記掛け金の下端に設けた施錠用引っ掛とを有し、前記電動モーターによって前記施錠用円盤の回転角を制御することで、前記施錠用引っ掛を施錠した状態と動かせる状態とで切り替えることができる、請求項１又は２に記載のカードケース。